(57)【要約】      （修正有）【課題】恒温貯蔵庫に装着されたスライド扉の操作性を担保しつつ、扉同士の間の隙間を通じた空気の流通を抑制し、貯蔵室内部を恒温に維持し易くする。【解決手段】ショーケースは、前方に開口し内部に貯蔵室が形成された本体部と、本体部の開口縁部に装着された２枚のスライド扉４０とを備える。開口が閉止された閉止状態で左寄りに位置する第１扉（第１の扉）４０Ａの右側縁部（第１の縁部）を構成する第１枠材４２Ａには、第１パッキン（パッキン）５０Ａが配設され、閉止状態において前方から視て第１扉４０Ａの第１枠材４２Ａに重畳される第２扉４０Ｂの左側縁部（第２の縁部）を構成する第２枠材４２Ｂには、第２パッキン５０Ｂが配設されている。第１パッキン５０Ａは、第１マグネット５１Ａを内包するとともに閉止状態において第２枠材４２Ｂに向けて弾性的に伸長可能に形成されており、第２パッキン５０Ｂには、第２マグネット５１Ｂが配されている。【選択図】図３
2018194231.tif 000002
【特許請求の範囲】
【請求項１】
一方に開口し、内部に貯蔵室が形成された箱体と、
前記箱体の開口縁部にスライド可能に装着されて、前記開口を開閉する複数の扉と、を備える恒温貯蔵庫であって、
前記複数の扉は、パッキンが配設された第１の縁部を有する第１の扉と、前記開口が閉止された閉止状態において前記箱体の開口方向から視て前記第１の縁部に重畳される第２の縁部を有する第２の扉と、を含み、
前記パッキンは、前記閉止状態において前記第２の縁部に向けて弾性的に伸長可能に形成されており、
前記パッキンにはマグネットが配される一方、前記第２の扉の縁部には金属もしくは他のマグネットが配されている恒温貯蔵庫。
【請求項２】
前記閉止状態において、前記パッキンが前記第２の扉の縁部に当接する請求項１に記載の恒温貯蔵庫。
【請求項３】
前記パッキンは、前記第１の扉の前記第１の縁部及び前記第２の扉の前記第２の縁部の双方に配設されている請求項１または請求項２に記載の恒温貯蔵庫。
【発明の詳細な説明】
【技術分野】
【０００１】
本明細書により開示される技術は、恒温貯蔵庫に関する。より詳しくは、スライド扉を備えた恒温貯蔵庫に関する。
【背景技術】
【０００２】
従来、箱型に形成された本体に設けられた開口を、スライド扉で開閉する構造の恒温貯蔵庫が知られている。例えば、下記特許文献１には、前側に開口する箱状の貯蔵室（収納室）と、開口に装着された２枚のスライド扉とを備え、開口の上下縁部に配設されたレール部に沿って２枚のスライド扉が左右方向にスライド移動することで開口が開閉されるショーケースが開示されている。
【先行技術文献】
【特許文献】
【０００３】
【特許文献１】特開２０１６−２００２８６号公報
【発明の概要】
【発明が解決しようとする課題】
【０００４】
特許文献１に開示されたショーケースでは、開口を開閉するために、２枚のスライド扉が前後方向にシフトした状態で装着される。２枚のスライド扉を、互いにスムーズにすれ違わせつつ左右方向にスライドさせるためには、前後方向について両扉の間に一定のクリアランスを設ける必要があるからである。このため、開口が全て閉止された閉止状態においても、前方から視て２枚のスライド扉が重畳される左右中央部分では、２枚のスライド扉の間に前後方向の隙間が生じる。例えばショーケースの内部が冷却状態に維持される場合には、この隙間から貯蔵室内の冷気が外部に漏れ出して冷却効率が悪化したり、扉やレールにおける結露の原因となったりするなど、貯蔵室内が一定温度に保たれる恒温貯蔵庫において、このような隙間が生じることは好ましくない。
ここで、閉止状態における扉の間の隙間をなくすために、仮に、両扉の間のクリアランスを小さくすると、スライド時に扉同士が接触するなど、開閉時の操作性が低下する。或いは、仮に、単に通常のパッキンを縁部に配設すると、扉の開閉による摩耗や経年劣化によって隙間が生じ、閉止効果が持続しないといった問題があった。
【０００５】
本明細書によって開示される技術は、上記事情に基づいて完成されたものであって、スライド扉の操作性を担保しつつ、扉の間に生じる隙間を通じた貯蔵室内と外部との空気の流通を耐久的に抑制することを目的とする。
【課題を解決するための手段】
【０００６】
本明細書により開示される恒温貯蔵庫は、以下の構成を有する。
（１）一方に開口し、内部に貯蔵室が形成された箱体と、前記箱体の開口縁部にスライド可能に装着されて、前記開口を開閉する複数の扉と、を備える恒温貯蔵庫であって、前記複数の扉は、パッキンが配設された第１の縁部を有する第１の扉と、前記開口が閉止された閉止状態において前記箱体の開口方向から視て前記第１の縁部に重畳される第２の縁部を有する第２の扉と、を含み、前記パッキンは、前記閉止状態において前記第２の縁部に向けて弾性的に伸長可能に形成されており、前記パッキンにはマグネットが配される一方、前記第２の扉の縁部には金属もしくは他のマグネットが配されている。
【０００７】
上記構成によれば、第１の縁部と第２の縁部とが開口方向から視て重畳された時に限って、伸縮可能に形成されたパッキンがマグネットの磁力によって伸長（弾性変形）し、第１の縁部と第２の縁部との間の隙間が縮小される。これにより、閉止状態におけるスライド扉の隙間を通した貯蔵室内と外部との空気の流通が抑制される。他方、扉のスライド時にはパッキンは伸長していない（弾性復帰により定常状態にある）ため、パッキンと他の扉等が接触することはなく、操作性が担保されるとともにパッキンの摩耗や変形も抑制される。
なお、パッキンは、ゴム製や軟質樹脂製とすることができる。或いは、撓み構造や蛇腹構造等のように、容易に伸長可能な縮部を備える構造としてもよい。
【０００８】
（２）上記（１）の恒温貯蔵庫は、前記閉止状態において、前記パッキンが前記第２の扉の縁部に当接することが好ましい。
このような構成によれば、第１の縁部と第２の縁部との間の隙間がパッキンによって閉塞され、貯蔵室内外の空気の流通を大幅に抑制することができる。また、例えば摩耗等何らかの要因によってパッキンの寸法形状が変化した場合であっても、マグネットの磁力とパッキンの伸長によってパッキンが第２の縁部に当接しうる程度の変化であれば、パッキンの寸法形状変化前と変わらぬ空気流通抑制効果を得ることができる。
【０００９】
（３）上記（１）または（２）の恒温貯蔵庫において、前記パッキンは、前記第１の扉の前記第１の縁部及び前記第２の扉の前記第２の縁部の双方に配設されていてもよい。
このような構成によれば、重畳される２枚の扉の双方の縁部からパッキンが伸長して当接することで、より確実に扉間の隙間を縮小もしくは閉塞することができる。また、パッキンの寸法形状の変化にも、より柔軟に対応することができる。
【発明の効果】
【００１０】
本明細書によって開示される技術によれば、恒温貯蔵庫の開口に装着されるスライド扉の操作性を担保しつつ、省エネルギー化を図ることができる。
【図面の簡単な説明】
【００１１】
【図１】実施形態１に係るショーケースの正面図
【図２】図１におけるＡ−Ａ断面の模式図
【図３】図２の扉重畳部分（パッキン配設部分）の拡大断面図
【図４】実施形態２に係るパッキンの断面図
【図５】実施形態３に係るパッキンの断面図
【発明を実施するための形態】
【００１２】
＜実施形態１＞
本実施形態では、恒温貯蔵庫の一例であるショーケース１に本技術を適用した例について、記載する。ショーケース１は、食料品や飲料品等の貯蔵物を冷蔵状態で貯蔵しつつ陳列するものである。なお、以下の説明では、図１における紙面手前側を前（紙面奥側を後）、左側を左（右側を右）、上側を上（下側を下）とする。
【００１３】
ショーケース１の概略構成について、説明する。
図１に示すように、ショーケース１は、全体として縦長の直方体状の外形をなす。ショーケース１は、前側に開口した断熱性の箱体からなる本体部（箱体）２を備えており、本体部２の内部は、図２に示すように、貯蔵物が収納される貯蔵室３とされている。
【００１４】
図１に示すように、ショーケース１は、本体部２が載せられるシャーシ部４と、このシャーシ部４の底面の四隅に配され、シャーシ部４等を支える４本の脚５とを備えている。なお、シャーシ部４の内側は、圧縮機や凝縮器等からなる冷凍装置が収容される機械室となっている。
また、図には示していないが、本体部２の内部上方には、前記冷凍装置から冷媒が供給される冷気循環装置が配設されており、この冷気循環装置によって冷気が循環供給されることで、貯蔵室３が冷却されて所定の温度に維持されるようになっている。
【００１５】
ショーケース１の開口の開閉に係る構成について、説明する。
図１に示すように、本体部２前側には、左縁部２ａｌ、右縁部２ａｒ、上縁部２ａｕ、下縁部２ａｄからなる開口縁部２ａによって開口が形成されており、開口縁部２ａには、複数（本実施形態では２枚）の扉４０，４０が装着されている。２枚の扉４０，４０は、左右方向にスライド移動することによって開口を開閉するものであって、図１は、扉４０，４０によって開口全体が閉止された状態（以下、閉止状態と称する）を示している。図１に示すように、閉止状態において、開口の左寄りに配される扉４０を第１扉（第１の扉）４０Ａ、右寄りに配される扉４０を第２扉（第２の扉）４０Ｂとする。以下の説明では、第１扉と第２扉とを区別する際には、それぞれ第１扉４０Ａ、第２扉４０Ｂとし、これらを区別せず総称する際には単に扉４０とする。
扉４０は、ガラスやアクリル系樹脂等から形成される平板状の透明板４１と、透明板４１の周縁部に取り付けられる合成樹脂製の枠材４２とを備えており（図２及び図３参照）、利用者は、扉４０の透明板４１越しに、貯蔵室３内の状態を確認できるようになっている。なお、図１に示すように、第１扉４０Ａの前面の左端側及び第２扉４０Ｂの前面の右端側には、各扉４０をスライド移動させるために利用者の手が掛けられる引手部４９が取り付けられている。この引手部４９は、合成樹脂製であって透明板４１の表面に貼り付けられている。
【００１６】
図２に示すように、開口縁部２ａのうち、下縁部２ａｄには、左右方向に延びるレール２１が取り付けられている。レール２１には、長手方向に２本の突条２２ａ，２２ｂが形成されており、このうち後方に配される突条２２ａに第１扉４０Ａの下端部に設けられた図示しない溝が、前方に配される突条２２ｂに第２扉４０Ｂ下端部の溝が、それぞれスライド移動可能に嵌合される。なお、上縁部２ａｕについては図示しないが、下縁部２ａｄと同様の構成としてもよいし、上縁部２ａｕに設けた案内溝に扉４０の上端部に設けた突条がスライド移動可能に係止される構成としてもよい。本実施形態では、第１扉４０Ａが第２扉４０Ｂよりも後方にシフトした位置に取り付けられており、第１扉４０Ａと第２扉４０Ｂを互いにすれ違わせながら左右方向にスライドさせることで、開口が開閉される。
図２に示すように、閉止状態では、第１扉４０Ａの左側縁が開口の左縁部２ａｌに、第２扉４０Ｂの右側縁が開口の右縁部２ａｒに突き当てられるとともに、開口の左右中央に位置する第１扉４０Ａの右縁部と、同じく第２扉４０Ｂの左縁部とが、前方から視て重畳するように配される。
【００１７】
第１扉４０Ａの右縁部及び第２扉４０Ｂの左縁部の構成について、詳しく説明する。
図３は、閉止状態における第１扉４０Ａと第２扉４０Ｂとの重畳部分の拡大断面図である。なお、図３は、下側が前（上側が後すなわち貯蔵室３側）、左側が左（右側が右）となるように表されている。
図３に示すように、第１扉４０Ａの右縁部及び第２扉４０Ｂの左縁部には、それぞれ上下方向に延びる長手状の枠材４２が配されている。枠材４２は、ネジ４３によって、透明板４１の端面をそれぞれ覆うように取り付けられる。以下、第１扉４０Ａの右端面を覆うように取り付けられて、第１扉４０Ａの右縁部（第１の縁部に相当する）を構成する枠材４２を第１枠材４２Ａ、第２扉４０Ｂの左端面を覆うように取り付けられて、第２扉４０Ｂの左縁部（第２の縁部に相当する）を構成する枠材４２を第２枠材４２Ｂとする。
図３に示すように、閉止状態では、第１扉４０Ａの第１枠材４２Ａと、第２扉４０Ｂの第２枠材４２Ｂとが、前方から視て重畳される。第１扉４０Ａ及び第２扉４０Ｂは、このように重畳された第１枠材４２Ａの前面と第２枠材４２Ｂの後面との間に、前後方向の隙間Ｇが形成されるように装着される。第１扉４０Ａと第２扉４０Ｂとをスライド移動させる際に、互いにスムーズにすれ違い可能とするためである。
【００１８】
さて、本実施形態では、第１枠材４２Ａ及び第２枠材４２Ｂに、閉止状態において隙間Ｇを閉塞可能なパッキン５０が配設されている。パッキン５０は、ポリ塩化ビニルやポリエエステル等の軟質樹脂やゴム等の、弾性変形可能な材料で形成されている。以下、第１枠材４２Ａに配設されるパッキン５０を第１パッキン５０Ａ、第２枠材４２Ｂに配設されるパッキン５０を第２パッキン５０Ｂとする。
【００１９】
第１パッキン５０Ａは、上下方向に延びる長手平板状をなす当接部５３と、当接部５３の後面から両矢印型の断面をなすように後方に突出形成された嵌入部５２と、当接部５３の前面から前方に膨出形成された封止部５４と、を有する。一方、第１枠材４２Ａの前面には、上下方向に延びる係止溝４２ａが設けられ、係止溝４２ａの奥部は溝幅が広くなるように形成されている。第１枠材４２Ａの係止溝４２ａに、第１パッキン５０Ａの嵌入部５２を弾性変形させつつ圧入し、嵌入部５２の矢先部分を係止溝４２ａの奥部に係止する。これにより、嵌入部５２の矢柄部分で係止溝４２ａの開口部分を埋めつつ、当接部５３の後面を第１枠材４２Ａの前面に密着させた状態で、第１パッキン５０Ａが第１枠材４２Ａの前面に取り付けられる。
第１枠材４２Ａの前面に配される封止部５４は、当接部５３の前面から薄肉に膨出形成された袋状の外郭部５４ａ及び内郭部５４ｂを有する。外郭部５４ａの内方にはマグネット５１が取り付けられ、外郭部５４ａの内方における当接部５３から内郭部５４ｂが膨出されて、外郭部５４ａと内郭部５４ｂとの間にマグネット５１が支持されている。外郭部５４ａと内郭部５４ｂとの間及び内郭部５４ｂの内側は、複数の空気室Ｓが形成されており、弾性変形可能な材料からなる外郭部５４ａ及び内郭部５４ｂは、何れも外側に撓んだ形状に形成されている。これにより、空気室Ｓを変形させつつ、外側に撓んだ撓み部分（縮部）が伸びるように弾性変形することで、封止部５４全体が前方（第２枠材４２Ｂが配される方向）に向けて容易に伸長可能とされている。
【００２０】
第２パッキン５０Ｂは、第１パッキン５０Ａと同様の構造を有し、第２枠材４２Ｂの後面に設けられた係止溝４２ａに、第１パッキン５０Ａとは前後対称となるように取り付けられる。すなわち、マグネット５１を内包する第２パッキン５０Ｂは、第２枠材４２Ｂに取り付けられた状態において、封止部５４が後方（第１枠材４２Ａが配される方向）に向けて容易に伸長可能とされている。なお、第１パッキン５０Ａに内包されたマグネット５１を第１マグネット５１Ａ（マグネット）、第２パッキン５０Ｂに内包されたマグネット５１を第２マグネット５１Ｂ（他のマグネット）とする。
【００２１】
以上のように、本実施形態１に係るショーケース１は、前方に開口し、内部に貯蔵室３が形成された本体部２と、本体部２の開口縁部２ａにスライド可能に装着されて、開口を開閉する２枚の扉４０，４０と、を備える。扉４０のうち、開口が閉止された閉止状態において左寄りに配される第１扉４０Ａには、当該第１扉４０Ａを構成する透明板４１に取り付けられて右縁部を構成する第１枠材４２Ａに、第１パッキン５０Ａが配設されており、閉止状態において右寄りに配される第２扉４０Ｂには、当該第２扉４０Ｂを構成する透明板４１に取り付けられて左縁部を構成する第２枠材４２Ｂに、第２パッキン５０Ｂが配設されている。第２枠材４２Ｂは、閉止状態において、本体部２の前方から視て（開口方向から視て）第１枠材４２Ａに重畳され、第１パッキン５０Ａは、前方に配される第２枠材４２Ｂに向けて伸長可能に形成されている。そして、第１パッキン５０Ａには第１マグネット５１Ａが配される一方、第２枠材４２Ｂに配設された第２パッキン５０Ｂには、第２マグネット５１Ｂが配されている。
【００２２】
本実施形態１の構成によれば、第１マグネット５１Ａが第２枠材４２Ｂに配設された第２パッキン５０Ｂに内包された第２マグネット５１Ｂに引き付けられることにより、伸縮可能に形成された第１パッキン５０Ａが、第１枠材４２Ａと第２枠材４２Ｂとが前方から視て重畳された時に限って伸長（弾性変形）し、第１枠材４２Ａの前面と第２枠材４２Ｂの後面との間に形成された隙間Ｇが縮小される。これにより、閉止状態において、隙間Ｇを通した貯蔵室３内と外部との空気の流通が抑制される。隙間Ｇを通じた冷気漏れが抑制されて貯蔵室３内部を恒温に維持し易くなるため、貯蔵室３内部を効率的に冷却して省エネルギー化を図ることができるとともに、扉４０やレール２１等における結露を抑制することができる。
他方、扉４０をスライド移動させている際等、第１枠材４２Ａと第２枠材４２Ｂとが重畳されておらず、第１マグネット５１Ａが第２マグネット５１Ｂに引き付けられていないときは、第１パッキン５０Ａが伸長していない（弾性復帰により定常状態にある）ため第１パッキン５０Ａと第２扉４０Ｂとが当たることはなく、操作性が担保される。さらに、第１パッキン５０Ａの摩耗や変形が抑制され、高い耐久性を得ることができる。
なお、第１パッキン５０Ａは、ゴム製や軟質樹脂製であって、薄肉に形成された外郭部５４ａ及び内郭部５４ｂが外側に撓んだ撓み部分（縮部）を有しているため、封止部５４は前方に容易に伸長可能とされている。
【００２３】
本実施形態１に係るショーケース１では、閉止状態において、第１パッキン５０Ａが、第２扉４０Ｂの第２枠材４２Ｂに配設された第２パッキン５０Ｂに当接する。
このような構成によれば、隙間Ｇが第１パッキン５０Ａ及び第２パッキン５０Ｂによって閉塞され、貯蔵室３内外の空気の流通を大幅に抑制することができる。例えば、摩耗等何らかの要因により第１パッキン５０Ａまたは第２パッキン５０Ｂの少なくとも一方の寸法形状が変化した場合であっても、第１マグネット５１Ａ及び第２マグネット５１Ｂの磁力と、第１パッキン５０Ａ及び第２パッキン５０Ｂの伸長によって両パッキン５０同士が当接しうる程度の変化であれば、寸法形状変化前と変わらぬ空気流通抑制効果を得ることができる。
【００２４】
本実施形態１に係るショーケース１では、第１扉４０Ａの第１枠材４２Ａと第２扉４０Ｂの第２枠材４２Ｂの双方に、第１パッキン５０Ａもしくは第２パッキン５０Ｂが配設されている。
このような構成によれば、第１パッキン５０Ａ及び第２パッキン５０Ｂに配された第１マグネット５１Ａ及び第２マグネット５１Ｂの磁力によって、閉止状態において、第１パッキン５０Ａが前方に、第２パッキン５０Ｂが後方に伸長して、互いに当接する。これにより、より確実に隙間Ｇを閉塞することができる。また、パッキン５０の寸法形状の経時変化等にも、より柔軟に対応することができる。
【００２５】
以上のように、本実施形態１によれば、ショーケース１の開口に装着される扉４０，４０の操作性を担保しつつ、省エネルギー化を図ることができる。
【００２６】
＜実施形態２＞
実施形態２を、図４によって説明する。
実施形態２では、パッキンの構造が、実施形態１に係るパッキン５０とは異なっている。パッキン５０以外の構成は実施形態１と同様であるため、説明を省略する（実施形態３でも同様とする）。
【００２７】
図４は、本実施形態２に係るパッキン２５０の断面図である。以下では、図４における上側を表（下側を裏）、左側を左（右側を右）として説明する。パッキン２５０は、例えば表側が前方を指向するように第１枠材４２Ａに配設してもよいし、表側が後方を指向するように第２枠材４２Ｂに配設してもよい。
パッキン２５０は、実施形態１に係るパッキン５０と同様の弾性変形可能な材料で形成され、長手平板状をなす当接部２５３と、当接部２５３の裏面から両矢印型の断面をなすように突設された嵌入部２５２と、当接部２５３の表面から前方に膨出形成された封止部２５４と、を有する。当接部２５３及び嵌入部２５２は、実施形態１に係るパッキン５０の当接部５３及び嵌入部５２と同様の構造及び作用を有するため、説明を省略する。
封止部２５４は、当接部２５３表面から薄肉な蛇腹構造を呈するように膨出され、この内部には、空気室Ｓが形成されるとともに膨出端面の裏側にマグネット２５１が内包されている。空気室Ｓを変形させつつ蛇腹状部分（縮部）が伸びるように弾性変形することで、封止部２５４全体が表側に向けて容易に伸長可能とされている。
【００２８】
本実施形態２に係るパッキン２５０は、封止部２５４が蛇腹状部分を有して容易に伸長可能に形成されており、扉４０の縁部に配設されると、実施形態１と同様の効果を得ることができる。すなわち、扉４０の操作性を担保しつつ、扉４０，４０の間の隙間Ｇを通じた空気の流通を抑制して、貯蔵室３内部を恒温に維持し易くすることができる。なお、パッキン２５０は、伸長可能な縮部として蛇腹状部分を有しており、撓み部分によって伸長可能とした実施形態１に係るパッキン５０よりも、伸長幅を大きく設定することが可能である。
【００２９】
＜実施形態３＞
実施形態３を、図５によって説明する。
図５は、本実施形態３に係るパッキン３５０の断面図である。以下では、図５における上側を表（下側を裏）、左側を左（右側を右）として説明する。パッキン３５０は、表側が前方を指向するように、例えば実施形態１に係る第１枠材４２Ａに配設してもよいし、表側が後方を指向するように、例えば実施形態１に係る第２枠材４２Ｂに配設してもよい。
パッキン３５０は、実施形態１に係るパッキン５０と同様の材料で形成され、パッキン５０の当接部５３及び嵌入部５２と同様の構造及び作用を有する当接部３５３及び嵌入部３５２を備える。
パッキン３５０の封止部３５４は、当接部３５３表面から外側に撓んだ薄肉の袋状をなすように膨出され、内部に空気室Ｓが形成されるとともに膨出端面は厚肉に形成されてこの中にマグネット３５１が埋設されている。マグネット３５１が表側から引き付けられると、弾性変形可能な材料で形成された封止部３５４は、空気室Ｓを変形させつつ撓み部分（縮部）が伸びるように弾性変形することで、封止部３５４全体が表側に向けて容易に伸長可能とされている。
【００３０】
本実施形態３に係るパッキン３５０は、封止部３５４が撓み部分を有して伸長可能に形成されており、扉４０の縁部に配設されると、実施形態１と同様の効果を得ることができる。なお、パッキン３５０では、マグネット３５１が封止部３５４の膨出端部分に埋設されているため金属や他のマグネットによって引きつけられ易く、また厚肉に形成された膨出端部分が他の扉４０の縁部等に密着して、より高い空気流通抑制効果を得ることが可能である。
【００３１】
＜他の実施形態＞
本明細書によって開示される技術は、上記記述及び図面によって説明した実施形態に限定されるものではなく、例えば次のような実施形態も技術的範囲に含まれる。
（１）パッキンは、閉止状態において本体部の開口方向から視て当該パッキンが配設される第１の扉の縁部に重畳される第２の扉の縁部に向けて弾性的に伸長可能に形成されていればよく、上記実施形態に記載した材質形状ものに限定されるものではない。パッキンに配されるマグネットの寸法形状や配設状態も、適宜変更することが可能である。
（２）実施形態１では、第１扉４０Ａの第１枠材４２Ａ及び第２扉４０Ｂの第２枠材４２Ｂの双方に、マグネット５１が配されたパッキン５０が配設される構成としたが、これに限定されるものではない。第１枠材４２Ａまたは第２枠材４２Ｂの何れか一方にはパッキンが配設されておらず、例えば金属板のみが貼付された構成としてもよい。双方にパッキンを配設する場合であっても同じ構造のパッキンとする必要はなく、第１扉４０Ａの第１枠材４２Ａと、第２扉４０Ｂの第２枠材４２Ｂに、異なる構造のパッキンを組み合わせて配設してもよい。一方のパッキンには、マグネットの代わりに金属板が配されたものを用いることもできる。
（３）実施形態１では、スライド式の扉４０が透明板４１を備え、これを通して貯蔵室３内を視認可能なショーケース１について記載したが、これに限定されるものではない。例えば、ステンレス製の表面板内に断熱材が充填された断熱性のスライド扉を備える恒温貯蔵庫に適用してもよい。また、３枚以上の扉によって開口が閉止される構成のものにも、本技術を適用することができる。
（４）箱体は、前方に開口するものに限定されず、上方や側方に開口するものであってもよい。この場合、扉は、上下方向や前後方向にスライドされるものであってもよい。
（５）本発明は冷蔵庫に限らず、冷凍庫、急速凍結庫、保温庫、加熱貯蔵庫等に広く適用することができる。
【符号の説明】
【００３２】
１…ショーケース（恒温貯蔵庫）、２…本体部（箱体）、２ａ…開口縁部、３…貯蔵室、４０…扉、４０Ａ…第１扉（第１の扉）、４０Ｂ…第２扉（第２の扉）、４２Ａ…第１枠材（第１の縁部を構成する）、４２Ｂ…第２枠材（第２の縁部を構成する）、５０，２５０，３５０…パッキン、５０Ａ…第１パッキン（パッキン）、５０Ｂ…第２パッキン、５１，２５１，３５１…マグネット、５１Ａ…第１マグネット（マグネット）、５１Ｂ…第２マグネット（他のマグネット）、Ｇ…隙間
【図１】
2018194231.tif 000003
【図２】
2018194231.tif 000004
【図３】
2018194231.tif 000005
【図４】
2018194231.tif 000006
【図５】
2018194231.tif 000007